(57)【要約】【課題】  内部メモリが壊れてもデータを安全にバックアップされ、外部メモリを持ち運びすることで、入出力処理を行うことができる回診用Ｘ線撮影装置を提供する。【解決手段】  脱着可能な外部メモリ９に被検者の個人情報などが情報端末機などで記憶され、コネクタ９Ａに装着される。その情報は情報処理部８を介し、画像処理部４から内部メモリ６に保存される。そして、Ｘ線管１からＸ線が照射され、被検者の透過Ｘ線像がＦＰＤ２に入射し電気信号に変換されて、画像処理部４で画像処理され内部メモリ６に保存される。内部メモリ６に保存されたデータは記憶処理部７を介して外部メモリ９に送信される。送信中は速度制御部１０が台車１４の駆動用のモータ１１を停止させる。また、内部メモリ６に保存されたＸ線画像及び被検者の情報が、読み出されモニタ５に表示される。また、外部メモリ９はプリンタなどに接続されＸ線画像がプリントされる。【選択図】          図１
2006081690.tif 000002
【特許請求の範囲】
【請求項１】
走行台車に、Ｘ線管と、このＸ線管からの照射による被検者のＸ線透視像を検出し撮影信号を出力するＸ線検出器と、この検出器からの撮影信号を取込んでＸ線画像を処理しＸ線画像と被検者情報を記憶する内部メモリを備えた回診用Ｘ線撮影装置において、この回診用Ｘ線撮影装置に対して、外部から着脱可能に接続でき、Ｘ線画像を記憶できる外部メモリと、撮影されたＸ線画像を前記外部メモリに記憶させる記憶処理部とを設けたことを特徴とする回診用Ｘ線撮影装置。
【請求項２】
外部メモリ内に記憶されたＸ線画像又は被検者情報を回診用Ｘ線撮影装置に読込む情報処理部を設けたことを特徴とする請求項１記載の回診用Ｘ線撮影装置。
【請求項３】
外部メモリにＸ線画像を送信している間は、回診用Ｘ線撮影装置の走行を制限する速度制御部を設けたことを特徴とする請求項１記載の回診用Ｘ線撮影装置。
【発明の詳細な説明】
【技術分野】
【０００１】
本発明は、病室を巡回してＸ線撮影を行う回診用Ｘ線撮影装置に係わり、特に、病院内で装置の駐車場所とプリンタ、情報端末機の設置場所が離れている場合の作業効率や、撮影された画像データのバックアップに関する。
【背景技術】
【０００２】
回診用Ｘ線撮影装置には、画像記録媒体としてフラットパネル検出器（以下、ＦＰＤと呼ぶ）を用い、重傷などで歩行困難な被検者をＸ線撮影するために、ベッドサイドまで装置を移動させ、ＦＰＤを被検者とベッドとの間にセットしてＸ線撮影を行い、ＦＰＤからの撮影デジタル信号を装置の内部メモリに記憶させ、モニタまたはプリンタや情報端末で読出して観察するものがある。この装置を使用すればフィルムを使用することなく多数枚のＸ線撮影画像が得られる（例えば、特許文献１参照。）。
【０００３】
図７に、ＦＰＤ２を用いた回診用Ｘ線撮影装置の概略構成を示す。
回診用Ｘ線撮影装置は、コリメータ１Ａを備えたＸ線管１と、それを保持するアーム１６と、移動する台車１４上で旋回可能な支柱１５と、その支柱１５に沿ってアーム１６が上下する上下移動部（図示せず）と、一対のキャスターからなる旋回自在の前輪１３及びモータ１１に連結されかじ取り不能の後輪１２を備え、装置に取り付けられた操作ハンドル１７を前後に操作することによって、下部に設けられたモータ１１で前進または後退する。
そして、被検者のベッド３のサイドまで装置を移動させ、支柱１５を旋回しＸ線管１を被検者側に回し、水平方向にアーム１６を伸縮させ、支柱１５上を垂直方向に移動させ、被検者の撮影部位に応じて、Ｘ線管１に取り付けられたコリメータ１ＡのＸ線放射口を、あらゆる方向と空間的な位置にセットすることができる。
回診用Ｘ線撮影装置の台車１４には、Ｘ線撮影用の制御部（図示せず）が搭載され、自動車用バッテリとインバータで主回路１００〜１２０Ｖ、６０Ｈｚを内部電源とし、高電圧変圧器とコンデンサを備えている。その制御回路はソリッドシステム化され、撮影操作は自動プログラム化したワンタッチ式の装置が多く使用されている。
また、ケーブルで接続延長され、被検者とベッド３との間にセットされるＦＰＤ２と、Ｘ線撮影時にＦＰＤ２からの撮影デジタル信号が取込まれ処理される画像処理部４Ａと、処理されたＸ線画像を記憶する内部メモリ６Ａと、撮影されたＸ線画像を表示するモニタ５と、外部から情報を入力又は外部に情報を出力するリール式延長可能な情報入出力ケーブル２０とを備えている。
ＦＰＤ２は、放射線に感応し入射線量に対応した電荷信号を直接出力するＸ線変換層からなる放射線センサアレイを有し、その直下に行列状に配置され電極にＴＦＴスイッチが接続され、照射時に各ＴＦＴスイッチを順次ＯＮすることで、各画素に蓄積された信号電荷を読み出しＸ線画像を形成するタイプのものである。
そして、移動する台車１４は、重量が４５０ｋｇ以上となり、ゴムタイヤなどを用い、病室、手術室、エレベータでの出入りが自在であるように設計され、ＦＰＤ２をベッド３側に配置して、ケーブルで容易に接続できる端子が設けられ、その他ブレーキシステム、付属装置を備えている。
【０００４】
回診用Ｘ線撮影装置の撮影操作は次の手順で行われる。まず、ＦＰＤ２が被検者の撮影部位の背面とベッド３との間にセットされる。そして、ベッド３上の被検者の撮影部位方向に、Ｘ線管１のコリメータ１Ａを向けて、撮影照射野を照準し固定する。そして、Ｘ線制御部（図示せず）で撮影部位に応じたＸ線条件が設定される。撮影ボタンを操作すると、Ｘ線管１から最適なＸ線条件でＸ線が照射され、被検者を透過した透過Ｘ線像がＦＰＤ２に入力される。ＦＰＤ２で透過Ｘ線像が電気信号に変換されデジタルビデオ信号として出力され、装置本体の画像処理部４Ａに入力される。画像処理部４Ａでは、外部からの被検者情報などが情報入出力ケーブル２０を介して内部メモリ６Ａに取入れられ、そのデータが撮影されたＸ線画像に追加され画像処理されて、内部メモリ６Ａに保存される。また、そのＸ線画像がモニタ５に表示される。
【０００５】
図８に、病院内の画像処理室１８Ｇとその周辺の廊下１８Ｄなどの配置を示す。回診前に操作者１９は回診用Ｘ線撮影装置を画像処理室１８Ｇの入口１８Ｃの近傍に停車させ、情報入出力ケーブル２０を延長して画像処理室１８Ｇ内に設けられた情報端末機１８Ｆに接続し、被検者の情報が回診用Ｘ線撮影装置内の画像処理部４Ａを介して内部メモリ６Ａに取込まれる。そして、病室などを回診し被検者に応じたＸ線撮影が行なわれ、そのデータが画像処理部４Ａを介して内部メモリ６Ａに被検者の情報とともに保存される。そして、回診終了後、再び回診用Ｘ線撮影装置を画像処理室１８Ｇの入口１８Ｃの近傍に停車させ、情報入出力ケーブル２０を延長して画像処理室１８Ｇ内に設けられた情報端末機１８Ｆに接続し、被検者情報及び撮影されたＸ線画像が保存され、または、プリンタ１８Ｅでプリントされる。
この回診用Ｘ線撮影装置は移動型装置として小型・軽量で移動操作性が良く、多数のＸ線撮影を容易に行え、迅速にＸ線画像を得ることができる。そのため病院内でベッドルーム、技工室、手術室、小児室、レントゲン室、乳児室等に容易に移動して、手軽に現場でＸ線撮影が行われる。
【特許文献１】特開平１１−９９１４４号公報  （第４頁、第１図）
【発明の開示】
【発明が解決しようとする課題】
【０００６】
従来の回診用Ｘ線撮影装置は以上のように構成されているが、被検者の個人情報などは装置に設けられたリール式延長可能な情報入出力ケーブル２０を介して外部に設けられた情報端末機１８Ｆから有線で送信される。また、回診し撮影されたＸ線画像は、装置内部に設けられた内部メモリ６Ａに保存される。そして、保存されたＸ線画像は、回診後に情報入出力ケーブル２０を介して画像処理室１８Ｇの情報端末機１８Ｆに有線で送信され、撮影されたＸ線画像が保存され、または、プリンタ１８Ｅでプリントされる。
しかし、回診中の振動などによって内部メモリ６Ａが壊れた場合、撮影されたＸ線画像及被検者情報が失われてしまうという問題がある。また、回診用Ｘ線撮影装置の駐車場所と情報端末機１８Ｆ及びプリンタ１８Ｅの設置場所が離れている場合、回診用Ｘ線撮影装置の情報入出力ケーブル２０を延長して長いケーブルを引き回し、画像処理室１８Ｇ内の情報端末機１８Ｆ及びプリンタ１８Ｅに接続しなければならないという問題がある。
本発明は、このような事情に鑑みてなされたものであって、装置の内部メモリに撮影され保存されたＸ線画像や被検者の個人情報などのデータをバックアップでき、長い情報入出力ケーブルを引き回して有線によって情報端末機やプリンタに接続する必要のない回診用Ｘ線撮影装置を提供することを目的とする。
【課題を解決するための手段】
【０００７】
上記の目的を達成するため、本発明の回診用Ｘ線撮影装置は、走行台車に、Ｘ線管と、このＸ線管からの照射による被検者のＸ線透視像を検出し撮影信号を出力するＸ線検出器と、この検出器からの撮影信号を取込んでＸ線画像を処理しＸ線画像と被検者情報を記憶する内部メモリを備えた回診用Ｘ線撮影装置において、この回診用Ｘ線撮影装置に対して、外部から着脱可能に接続でき、Ｘ線画像を記憶できる外部メモリと、撮影されたＸ線画像を前記外部メモリに記憶させる記憶処理部とを設けたものである。
【０００８】
また、本発明の回診用Ｘ線撮影装置は、外部メモリ内に記憶されたＸ線画像又は被検者情報を回診用Ｘ線撮影装置に読込む情報処理部を設けたものである。
【０００９】
また、本発明の回診用Ｘ線撮影装置は、外部メモリにＸ線画像を送信している間は、回診用Ｘ線撮影装置の走行を制限する速度制御部を設けたものである。
【００１０】
本発明の回診用Ｘ線撮影装置は上記のように構成されており、装置と信号ケーブルで接続されたフラットパネルのＸ線検出器を備え、Ｘ線制御器及びＸ線管を走行台車に搭載し、フラットパネルのＸ線検出器からのＸ線画像の撮影信号を装置の画像処理部を介して内部メモリに取込む。一方、外部からコネクタを介して外部メモリが装着できるように構成し、外部からの被検者情報を内部に受信処理する情報処理部と、内部のＸ線画像情報を外部に送信処理する記憶処理部を設ける。そして、被検者情報を外部メモリから、情報処理部と画像処理部を介して内部メモリに記憶させ、また、撮影されたＸ線画像を、内部メモリから画像処理部と記憶処理部を介して外部メモリに保存させる。そして、被検者の情報および撮影されたＸ線画像を内部メモリから読出しモニタに表示する。
また、外部メモリにＸ線画像及び被検者情報を送信している間は、外部メモリにデータが正常にバックアップされるように、装置の走行が制限される速度制御部を設け、装置の後輪を駆動するモータを停止させる。
【発明の効果】
【００１１】
本発明の回診用Ｘ線撮影装置は上記のように構成されており、装置にコネクタなどにより外部から装着できる外部メモリを備え、撮影されたＸ線画像のデータが装置の内部メモリと外部メモリに保存されるため、内部メモリが壊れても、外部メモリでバックアップされるので、撮影されたＸ線画像が失われることがない。また、外部メモリにデータを送信している間は、装置のモータを停止させるので振動による送信ミスもなく安全にバックアップすることができる。
また、装置を画像処理室まで移動させる必要がなく、外部メモリを持ち運びすることで、情報端末機およびプリンタで被検者の情報及びＸ線画像データの入出力処理を行うことができる。従来のように装置を画像処理室まで近づけて有線接続する必要が無くなり、装置と情報端末機およびプリンタなどとの距離に関係なく、簡単にデータのやり取りを行うことができる。
【発明を実施するための最良の形態】
【００１２】
本回診用Ｘ線撮影装置は、撮影されたＸ線画像を内部メモリと装着可能な外部メモリに装置を停止させて保存でき、持ち運びできる外部メモリにより被検者の情報を内部に送信し、外部メモリを持ち運ぶことによって、外部の情報端末機およびプリンタでデータの処理を行うことができる回診用Ｘ線撮影装置を実現した。
【実施例】
【００１３】
本発明の回診用Ｘ線撮影装置の１実施例を、図１、図２を参照しながら説明する。図１は本発明の回診用Ｘ線撮影装置の概略構成を示し、図２は装置の信号処理系統のブロック図を示す。
本回診用Ｘ線撮影装置は、上下に移動し伸縮するアーム１６を備えた旋回する支柱１５を立て、一対のキャスターからなる旋回自在の前輪１３及びモータ１１に連結されかじ取り不能の後輪１２を備え、装置に取り付けられた操作ハンドル１７を前後に操作することによって、下部に設けられたモータ１１で前進または後退する台車１４と、台車１４にＸ線制御部を搭載しアーム１６に支持されコリメータ１Ａを備えたＸ線管１と、ベッド３に載せられた被検者を透過し、その透過Ｘ線像を受像するＸ線像受像部のＦＰＤ（フラットパネル検出器）２と、ＦＰＤ２からのデジタル信号を画像処理する画像処理部４と、処理されたＸ線画像を記憶する内部メモリ６と、コネクタ９Ａに装着し外部の情報端末機で得られた被検者の情報を内部に送信しまたは内部メモリ６のＸ線撮影画像を受信して記憶する外部メモリ９と、内部メモリ６に記憶された画像を外部メモリ９に送信する記憶処理部７と、外部メモリ９に送信中、移動用のモータ１１の速度を制限する速度制御部１０と、外部の情報端末機で得られ外部メモリ９に記憶された被検者の情報を内部メモリ６に送信する情報処理部８と、内部メモリ６に記憶されたＸ線画像及び被検者の情報を表示するモニタ５とから構成される。
【００１４】
本回診用Ｘ線撮影装置と従来の装置と異なるところを、図２と図７を参照しながら説明する。
従来の装置は、図７に示すように、被検者の情報が、外部の情報端末機に接続された情報入出力ケーブル２０から画像処理部４Ａを介して内部メモリ６Ａに記憶され、ＦＰＤ２で撮影されたＸ線画像のデジタル信号が画像処理部４Ａで画像処理され、その被検者の情報とともに内部メモリ６Ａに保存される。そして、情報入出力ケーブル２０を介して外部のプリンタでプリントされ、また、モニタ５に表示される。
これに対し本回診用Ｘ線撮影装置は、図２に示すプロセスで、ＦＰＤ２で撮影されたＸ線撮影画像と外部メモリ９から被検者の情報が処理される。まず、回診前に着脱可能な外部メモリ９が装置に装着され、被検者の情報が情報処理部８を介して内部メモリ６に記憶される。そして、装置を病室の被検者の側に移動させて、Ｘ線撮影が行われる。ＦＰＤ２で撮影されたＸ線画像のデジタル信号が画像処理部４に入力され画像処理され、被検者の情報とともに内部メモリ６に保存される。また、モニタ５に表示される。そして、内部メモリ６に記憶されたＸ線画像は、画像処理部４を経由し、記憶処理部７を介して外部メモリ９に送信され、送信している間は、外部メモリ９にデータが正常にバックアップされるように、装置の走行を制限する速度制御部１０が設けられ、装置のモータ１１を停止、又は一定速度以下に回転数を制限する。停止、又は一定速度以下に回転数が制限された状態で転送されるのでデータは正常に外部メモリ９に保存される。そして、外部メモリ９を装置本体から取外し、外部に設けられた情報端末機又はプリンタなどに挿入して出力処理される。本装置は、外部とのデータのやり取りが着脱可能な外部メモリ９で行われ、従来の装置のような図７に示す情報入出力ケーブル２０を長く引き回す必要が無い。そして内部メモリ６が壊れても外部メモリ９によってＸ線撮影画像のバックアップをすることができる。
【００１５】
次に、本回診用Ｘ線撮影装置の各部構成について、図１を参照しながら説明する。
台車１４は、画像データを処理する画像処理部４、内部メモリ６、外部メモリ９、記憶処理部７、情報処理部８、速度制御部１０、モニタ５とＸ線制御装置（図示せず）を搭載し、自動車用バッテリとインバータで主回路１００〜１２０Ｖ、６０Ｈｚを内部電源とし、高電圧変圧器とコンデンサを備えている。そして、Ｘ線管１を上下に移動し伸縮するアーム１６と旋回する支柱１５を立て、一対のキャスターからなる旋回自在の前輪１３及びモータ１１に連結されかじ取り不能の後輪１２を備え、装置に取り付けられた操作ハンドル１７を前後に操作することによって、下部に設けられたモータ１１で前進または後退する。
Ｘ線管１は、高周波インバータを利用したＸ線発生装置によって高電圧が印加され、拡大撮影による幾何学的なボケを低減するために、Ｘ線管１の焦点サイズは０．７ｍｍ、短時間最大出力１２．５ｋＷのものが用いられ、アーム１６に支持され、コリメータ１Ａを備え、被検者の診断部位に自在にＸ線放射口を向けることができる。
ＦＰＤ（フラットパネル検出器）２は、装置に信号ケーブルで接続され、ベッド３に載せられた被検者の背面とベッド３の間に配置して用いられるＸ線像受像部である。
ＦＰＤ２は、放射線に感応し入射線量に対応した電荷信号を直接出力するＸ線変換層からなる放射線センサアレイを有し、その直下に行列状に配置され電極にＴＦＴスイッチが接続され、照射時に各ＴＦＴスイッチを順次ＯＮすることで、各画素に蓄積された信号電荷を読み出しＸ線画像を形成するタイプのものである。
画像処理部４は、ＦＰＤ２からのデジタル信号を受信し、画像処理するもので、画像の入力幅、階調処理、コントラスト処理、レベル変更、及び周波数変換により画像エッジ強調処理などが行われ、内部メモリ６に記憶された被検者の情報と処理されたＸ線撮影画像のデータを関連付けて画像合成処理を行う。
内部メモリ６は、装置本体内部に設けられたハードディスクなどで構成され、外部メモリ９に保存された被検者の情報が情報処理部８を介して保存され、また、Ｘ線撮影されたＦＰＤ２からの画像信号が画像処理部４で画像処理されて、内部メモリ６に被検者の情報とともに記憶される。
外部メモリ９は、装置のコネクタ９Ａに着脱自在に使用できるメモリで、外部の情報端末機で被検者の情報を取り込み、装置に装着して情報処理部８を介して内部に被検者の情報が送信され、内部メモリ６に保存される。また、内部メモリ６に保存されたＸ線撮影画像のデータが記憶処理部７を介して外部メモリ９に送信され、保存される。
記憶処理部７は、内部メモリ６に記憶されたＸ線画像を画像処理部４を経由して外部メモリ９に送信する機能と、送信中は速度制御部１０に信号を出力し、装置のモータ１１を停止、又は一定速度以下（ハードディスクが壊れる危険のない速度で、１ｋｍ／ｈ〜２ｋｍ／ｈ程度以下）に回転数を制限させる機能を有する。装置は通常５ｋｍ程度の速度を出せるが、ハードディスクの定格によって制限される速度が変更される。
速度制御部１０は、記憶処理部７の指令により動作するもので、内部メモリ６から外部メモリ９にデータが送信されている間は、移動用のモータ１１の速度を停止させる。
情報処理部８は、外部の情報端末機から得られ外部メモリ９に記憶された被検者の情報を、画像処理部４を経由して内部メモリ６に送信する機能を有する。
モニタ５は、装置の上面に設けられ、Ｘ線撮影が行われると内部メモリ６にそのデータが保存されると同時にＸ線画像及び被検者の情報が表示される。また、必要により内部メモリ６からデータを読み出し表示することができる。
【００１６】
図３に、Ｘ線変換層３０を有する図１に示すＦＰＤ２の構造を示す。このＦＰＤ２は、Ｘ線変換層３０にバイアス電圧が上部電極２５から供給され、Ｘ線変換層３０の直下に、アクティブマトリックス基板２４に行列状に配置された画素電極２７に、ＴＦＴ２８のスイッチ素子が接続され、照射時に各ＴＦＴ２８のスイッチ素子を、ゲートドライバ回路２２でＦＰＣ（Ｆｌｅｘｉｂｌｅ  Ｐｒｉｎｔｅｄ  Ｃｉｒｃｕｉｔ：柔軟性がある絶縁基板を用いたプリント配線板）２２Ａを介して順次ＯＮすることにより、各画素の蓄積容量２９に蓄積された信号電荷が、増幅回路２３にＦＰＣ２２Ａを介して読出される。そして増幅回路２３からＡ／Ｄ変換回路を介して、ＴＶ回路に入力される。ＴＶ回路からの信号が、装置本体の図１に示す画像処理部４に入力され、そこで信号処理が行なわれモニタ５にＸ線画像が表示される。
【００１７】
図４に、図１に示すＦＰＤ２の動作を説明する回路図を示す。アクティブマトリックス基板２４上に各画素３４が縦横に規則正しく配列されており、制御回路２６からの信号でゲートドライバ回路２２が駆動され、ゲート線３２を介して行方向から各画素３４の画素電極２７に接続されたＴＦＴ２８のゲート電極にパルス信号がＧ１、Ｇ２、Ｇ３、…と順次に送られ、一方、制御回路２６からの信号で増幅回路２３が駆動され、読出信号線３３を介して列方向から、各画素３４の映像電荷信号がＴＦＴ２８のドレイン電極からＲ１、Ｒ２、Ｒ３、…と順次に読出される。読出された信号はＡ／Ｄ変換回路２３Ａでデジタル信号に変換され、加算器２３ＢでＴＶの垂直同期信号が加算されて、デジタルビデオ信号として出力される。
【００１８】
図５に、画素３４の断面構成を示す。画素３４は、ガラス基板上にＸＹマトリックス状の電極配線に接続されたゲート線端子３２Ａ、読出信号線端子３３Ａと薄膜トランジスタのＴＦＴ２８と蓄積容量２９などが形成された図４に示すアクティブマトリックス基板２４と、その上部に略全面に形成されたＸ線変換層３０、下部の画素電極２７、上部の上部電極２５によって構成されている。
【００１９】
Ｘ線変換層３０は、Ｘ線の照射強度に応じて良好な光導電特性を有し、電荷信号を発生する。例えば、蒸着により大面積成膜が容易で、厚み３００〜６００μｍに成膜された非晶質（アモルファス）セレニウム（ａ−Ｓｅ）などが用いられる。そのＸ線入射側の面にはＸ線変換層３０の上部電極２５が形成され、Ｘ線入射側とは反対の側には各画素３４に対応する位置に画素電極２７が形成されている。
蓄積容量２９は、画素電極２７と接地間に接続されている。そして、バイアス印加部からＸ線変換層３０にバイアス電圧が印加され、Ｘ線照射強度に応じてＸ線変換層３０で発生した電荷が、蓄積容量２９のコンデンサに蓄積される。
トランジスタスイッチ、例えば、信号読出しスイッチ機能を有するＴＦＴ２８が、各画素３４毎に２次元に配列され、ゲート線端子３２Ａからのスイッチパルスにより、蓄積容量２９の電荷信号が読出信号線端子３３Ａを介して、図４に示す増幅回路２３に読出される。
【００２０】
次に、本回診用Ｘ線撮影装置の動作及び操作について、図１、図６を参照しながら説明する。図６は、病院内の画像処理室１８とその周辺、および、外部メモリ９の情報処理ルートを示す。
図６において、操作者１９は、回診前に院内の適当な場所に駐車された回診用Ｘ線撮影装置から外部メモリ９を取り外して持ち運び、画像処理室１８の入口１８Ｃから入室し、室内に設けられた情報端末機１８Ｂに外部メモリ９を装着する。そして、回診する被検者の情報を外部メモリ９に取り込む。被検者の情報が記憶された外部メモリ９を情報端末機１８Ｂから取り外し、画像処理室１８の入口１８Ｃを経由して回診用Ｘ線撮影装置の場所まで持ち運び、外部メモリ９を装置に装着する。被検者の情報が図１に示す内部メモリ６に情報処理部８を介して取込まれる。そして、装置を移動させ病室を巡回し、被検者のＸ線撮影を行う。撮影された被検者のＸ線画像のデジタル信号がＦＰＤ２から画像処理部４に入力され画像処理されて、被検者の情報とともに内部メモリ６に保存される。また、同時に内部メモリ６に保存されたデータは、画像処理部４を経由し、記憶処理部７を介して外部メモリ９に送信され保存される。データ送信中は速度制御部１０によってモータ１１が停止、又は一定速度以下に回転数が制限され、データが振動などで妨害されずに正常に外部メモリ９にバックアプされる。そして、回診終了後、再び回診用Ｘ線撮影装置を廊下１８Ｄなどの適当な位置に駐車させ、装置から外部メモリ９を取り外し、外部メモリ９のみを持ち運び、画像処理室１８内に設けられたプリンタ１８Ａに外部メモリ９を接続し、プリンタ１８ＡでＸ線画像がプリントされる。
【００２１】
上記の実施例では、内部メモリ６と装着自在の外部メモリ９を用いて説明したが、内部メモリ６を設けなくて、外部メモリ９を２箇所に使用する構成でも同様に適用することができる。
【産業上の利用可能性】
【００２２】
本発明の回診用Ｘ線撮影装置は、病室を巡回してＸ線撮影を行う回診用Ｘ線撮影装置に係わり、特に、病院内で装置の駐車場所とプリンタ、情報端末機の設置場所が離れている場合の作業効率や、撮影された画像データのバックアップに関する。
【図面の簡単な説明】
【００２３】
【図１】本発明の回診用Ｘ線撮影装置の１実施例を示した説明図である。
【図２】本発明の回診用Ｘ線撮影装置の制御系統を示した説明図である。
【図３】ＦＰＤの構造を説明するための図である。
【図４】ＦＰＤの回路構成を示した図である。
【図５】ＦＰＤの画素構成を説明するための図である。
【図６】本発明の回診用Ｘ線撮影装置の病院内の操作方法を説明するための図である。
【図７】従来の回診用Ｘ線撮影装置を示した説明図である。
【図８】従来の回診用Ｘ線撮影装置の病院内の操作方法を説明するための図である。
【符号の説明】
【００２４】
１  Ｘ線管
１Ａ  コリメータ
２  ＦＰＤ
３  ベッド
４  画像処理部
４Ａ  画像処理部
５  モニタ
６  内部メモリ
６Ａ  内部メモリ
７  記憶処理部
８  情報処理部
９  外部メモリ
９Ａ  コネクタ
１０  速度制御部
１１  モータ
１２  後輪
１３  前輪
１４  台車
１５  支柱
１６  アーム
１７  操作ハンドル
１８  画像処理室
１８Ｇ  画像処理室
１８Ａ  プリンタ
１８Ｂ  情報端末機
１８Ｃ  入口
１８Ｄ  廊下
１８Ｅ  プリンタ
１８Ｆ  情報端末機
１９  操作者
２０  情報入出力ケーブル
２２  ゲートドライバ回路
２２Ａ  ＦＰＣ
２３  増幅回路
２３Ａ  Ａ／Ｄ変換回路
２３Ｂ  加算器
２４  アクティブマトリックス基板
２５  上部電極
２７  画素電極
２８  ＴＦＴ
２９  蓄積容量
３０  Ｘ線変換層
３２  ゲート線
３２Ａ  ゲート線端子
３３  読出信号線
３３Ａ  読出信号線端子
３４  画素
【図１】
2006081690.tif 000003
【図２】
2006081690.tif 000004
【図３】
2006081690.tif 000005
【図４】
2006081690.tif 000006
【図５】
2006081690.tif 000007
【図６】
2006081690.tif 000008
【図７】
2006081690.tif 000009
【図８】
2006081690.tif 000010